(57)【要約】      （修正有）【課題】単一のデバイス内で単一の試料源に対して複数の対称又は非対称の試験を行うことが可能な種々の自己完結型分析カートリッジを構築するためのモジュラーシステムを提供する。【解決手段】カートリッジの組み立ては、廃液モジュール２と反応器モジュール５とを、パス７０に沿って相互接続することから始まる。廃液モジュール２は、各試薬モジュール３、４を受容するのに必要な連結点を提供し、これがパス７１を通じて試薬モジュール４と相互接続され、更にパス７２を通じて試薬モジュール３と相互接続される。この配置において、２つの試薬モジュール３、４と反応器モジュール５とは、試料モジュール１を受容するための連結点を提供する。【選択図】図７Ａ
2019152672.tif 000002
【特許請求の範囲】
【請求項１】
所定の連続流式流体制御ネットワーク（continuous-flow fluid control network）の選択式機能部位（select functional division）を各々有するように構成された複数の共働モジュールを含むモジュラーシステムであって、
前記複数のモジュールは更に、個別の自己完結機能型製品（functionally self-contained articles-of-manufacture）として分析タスクの１又は２以上の工程を提供しうるよう作動可能であり、
前記複数のモジュールは更に、前記流体制御ネットワークの全体又は一部を再構築しうる２以上の共働モジュール間の流体連結の確立を可能とする可逆的組み立て手段により可能とされる、モジュラーシステム。
【請求項２】
前記連続流式流体制御ネットワークが、分析試験を実施しうるよう作動可能な閉鎖型自己完結システムを形成する、請求項１に記載のモジュラーシステム。
【請求項３】
前記流体制御ネットワークの全体を再構築するのに十分な複数のモジュールの集合体を更に含むと共に、当該複数のモジュールの集合体が、当該システムにより提供されうる複数の可能なモジュラー集合体を許容する、１又は２以上の動作モードを可能とする選択式全体配置（select overall geometory）を取る、請求項１に記載のモジュラーシステム。
【請求項４】
前記モジュールの周囲に配置され、個別のモジュール又は最終的なモジュラー集合体の動作を可能とする手段を更に備えると共に、当該手段が、当該システムにより提供されうる複数の可能なモジュラー集合体を実質的に許容する方式で、例えば複数の空圧ポート又は可動式モジュールを予測可能に配置することにより構成される、請求項１に記載のモジュラーシステム。
【請求項５】
モジュラー連続流式診断カートリッジを生成する方法であって、
試料に対して実施すべき１又は２以上の分析試験を選択し、
前記分析試験を自己完結した流体制御システムとして実施するのに必要な必須流体制御構造を有する閉鎖型連続流式流体制御ネットワークを設計し、
前記閉鎖型連続流式流体制御ネットワークを２以上の流体制御構造の集団に分割し、
前記グループを、選択式モジュールの選択式組立パターンから前記閉鎖型連続流式流体制御ネットワークの再構築を可能とするのに十分な共働モジュールを有する個別の製品として作製する
ことを含む、方法。
【請求項６】
前記流体制御構造が、試料、試薬、若しくは廃液の容器、及び／又は、混合若しくは分析チャンバーを含む、請求項５に記載の方法。
【請求項７】
複数のモジュールを含むモジュラー集合体であって、
前記複数のモジュールは、適切な基材内に動作可能な状態に配置され、分析試験を実施しうる、所定の流体制御ネットワークの複数の選択式部位を有し、
前記選択式部位は、分析試験の１又は２以上の工程を個別の製品として実施するよう操作可能な１又は２以上の不可分機能構造を具備し、
前記複数のモジュールの集合体が、前記流体制御ネットワークの全体を再構築しうると共に、分析タスクを実施するよう作動可能である、モジュラー集合体。
【請求項８】
前記集合体のモジュール内及びモジュール間で物質の移送を誘発及び／又は促進するのに十分な起動力を発生させる１又は２以上の手段を更に含む、請求項７に記載のモジュラー集合体。
【請求項９】
同一の流体制御ネットワークに由来する複数の互換型流体制御経路を有する２以上のモジュール間の選択的組立パターンを提供する手段を更に含む、請求項７に記載のモジュラー集合体。
【請求項１０】
固定配置の１又は２以上のモジュール、及び／又は、可動配置の１又は２以上のモジュールの集合により操作可能となるモジュラー集合体を更に含む、請求項７に記載のモジュラー集合体。
【請求項１１】
複数の異なる分析タスクを実施するよう作動可能な複数の可能なモジュラー集合体のための作動機構を許容する全体配置を更に有する、請求項７に記載のモジュラー集合体。
【請求項１２】
複数の流体制御構造の集団たる複数の前記機能部位を更に有し、前記複数の流体制御構造が、類似の機能を有する、及び／又は、類似の化学的性質及び／又は類似の製造上の要請を有する複数の分析材料を有する、請求項７に記載のモジュラー集合体。
【請求項１３】
基材と、不可分流体制御構造と、流体連結の経路と、モジュラーインターフェースとを含むモジュールであって、
前記不可分流体制御構造が、前記基材内に含まれる所定の閉鎖型連続流式流体制御ネットワークから選択され、
前記流体連結の経路が、前記流体制御構造と前記基材の１又は２以上の側面に開口する入口及び出口とを相互接続する前記流体制御構造を貫通し、
前記モジュラーインターフェースが、前記流体連結の経路の出口又は入口と協調して作動するように位置する共働機能アタッチメントの１又は２以上の要素を含み、前記１又は２以上の要素が、複数の互換型流体制御経路を有する１又は２以上のモジュールと、機能アタッチメントの複数の共働要素とを、前記基材の選択された一側面に対して、前記モジュール間の流体連結を可能とするように連結する、モジュール。
【請求項１４】
独立した集合体として構成される前記機能構造を含むように作動可能な、前記基材に形成された開口を更に含む、請求項１３に記載のモジュール。
【請求項１５】
更に追加のモジュールを受容しうる前記開口を更に含む、請求項１４に記載のモジュール。
【請求項１６】
前記共働機能アタッチメントの複数の要素が、可逆的アタッチメントを提供する、請求項１３に記載のモジュール。
【請求項１７】
前記共働機能アタッチメントの複数の要素が、固定アタッチメント、可動アタッチメント、又は、固定アタッチメントと可動アタッチメントとの組合せを提供する、請求項１３に記載のモジュール。
【請求項１８】
１又は２以上の機能構造を貫通する流体連結の単一のパスを更に含む、請求項１３に記載のモジュール。
【請求項１９】
１又は２以上の機能構造を貫通する流体連結の複数のパスを更に含み、ここでこれら複数のパスは、直列に、並列に、又は直並列に配列されうる、請求項１３に記載のモジュール。
【請求項２０】
前記機能構造内の手段で操作可能に包囲される分析材料を更に含む、請求項１３に記載のモジュール。
【請求項２１】
前記包囲手段が、可撓性バリアー（compromisable barrier）により、前記入口及び出口を通じた流通を可逆的に妨害しうると共に、前記可撓性バリアーが、例えば自己回復型ストッパー、透過性粘着オーバーレイ、着脱可能キャップ、弁、又は他の操作可能な包囲手段である、請求項20に記載のモジュール。
【請求項２２】
陰圧下で設定されるように構成された機能構造を更に含む、請求項13に記載のモジュール。
【請求項２３】
開口を有さない完全包囲型コンテナーを含むセルであって、
前記コンテナーは、優れた圧縮品質を有する可撓性不溶性材料から製造される変形可能コンテナーであって、穿孔デバイスによって穿孔されうるように操作可能であり、
前記セルは更に、所定量の材料を受容可能であり、ここで前記材料は分注可能材料でも分注不能材料でもよい、セル。
【請求項２４】
１又は２以上のコンテナーを近接して直列に整列させることを可能とする配置を更に有する、請求項２３に記載のコンテナー。
【請求項２５】
前記コンテナーの２以上を緊密に相互接続することを可能とする手段、例えば機能アタッチメント又は結合表面、を更に有する、請求項２３に記載のコンテナー。
【請求項２６】
１又は２以上の湿潤セルと、０又は１以上の乾燥セルとを含む、直列化された試薬クラスター装置であって、
前記１又は２以上の湿潤セルは、当該材料を受容しうるように構成された穿孔可能コンテナーに包含される、所定量の分注可能材料を含有し、
前記０又は１以上の乾燥セルは、当該材料を受容しうるように構成された穿孔可能コンテナーに包含される、所定量の分注不能材料を含有し、
前記１又は２以上の湿潤セルと、前記０又は１以上の乾燥セルとが、予め定められた各湿潤セル内容物の経時的放出順序に応じて直列に配置され、
ここで、ある湿潤セルに先立って乾燥セルが介在配置されることにより、前記湿潤セルの放出順序に時間遅延が生じてもよい、装置。
【請求項２７】
前記湿潤セルが、連続した空洞を乾燥セルにより分離した複数の区画として構成されると共に、前記乾燥セルが、前記材料を包囲するのに十分な浸透性バリアーとして構成され、ここで、前記浸透性バリアーが、所定量の操作可能な固体又は非混和性液体である、請求項２６に記載の装置。
【請求項２８】
前記セルが、個々のコンテナー内に包囲される所定量の材料として構成され、前記個々のコンテナーが、前記材料を保持するように操作可能であると共に、圧縮性及び弾性の性質を操作可能な穿孔可能材料から製造されてなる、請求項２６に記載の装置。
【請求項２９】
２以上のセルを可逆的に相互接続する手段を更に含むと共に、前記手段が、雌雄勘合性機能アタッチメント、粘着材、又は結合表面を含む、請求項２８に記載の装置。
【請求項３０】
２以上のセルを恒久的に相互接続する手段を更に含むと共に、前記手段が、１又は２以上の結合表面と操作可能な結合剤又は結合プロセスとの併用を含む、請求項２８に記載の装置。
【請求項３１】
１又は２以上の直列化された試薬クラスターからの分注可能材料の放出順序をプログラムする方法であって、前記方法は、
必要量の分注可能材料を操作可能なコンテナー内に含む１又は２以上の湿潤セルを形成し、
所定量の操作可能な分注不能材料を操作可能なコンテナー内に含む０又は１以上の乾燥セルを形成し、
直列化された試薬クラスター内に配置するべく、１又は２以上の湿潤セルと、０又は１以上の乾燥セルとを選択し、
各湿潤セルの前記必要量と各乾燥セルの前記所定量とを計算し、２以上の直列化された試薬クラスターからの分注可能材料の経時的放出順序が同期するように、前記湿潤セル及び乾燥セルを所定の直列配列で配置することにより、前記直列化された試薬クラスターをプログラムする
ことを含む、方法。
【請求項３２】
前記試薬クラスターが個別的又は集合的に、また、離散的又は連続的に駆動されるように関連づけられた、２以上の直列化された試薬クラスターを更に含む、請求項３１に記載の方法。
【請求項３３】
前記操作可能なコンテナーが、優れた圧縮性及び弾性を有する材料から製造される、請求項３１に記載の方法。
【請求項３４】
１又は２以上の湿潤セルと、０又は１以上の乾燥セルと、１又は２以上の直列化された試薬クラスターと、穿孔デバイスとを含む、プログラム可能な試薬送達システムであって、
前記１又は２以上の湿潤セルが、操作可能な圧縮性質を有する穿孔可能コンテナー内に、任意量の分注可能材料を含み、
前記０又は１以上の乾燥セルが、操作可能な圧縮性質を有する穿孔可能コンテナー内に、任意量の分注不能材料を含み、
前記１又は２以上の直列化された試薬クラスターが、所定の直列配列で相互接続された、１又は２以上の湿潤セルと、０又は１以上の乾燥セルとを含み、
ここで、前記所定の直列配列は、第一の処理工程に対応する第一のセルと、経時的に制御された放出順序に対応する０又は１以上の更なるセルとを有し、
前記穿孔デバイスが、直列化された試薬クラスターの前記第一のセルと並んで、操作可能に配置されると共に、前記穿孔デバイスを前記配列における前記第一のセルに挿入するように駆動することにより、分注可能成分を前記セルから分注しうるように構成され、
前記カニューラを、所定の配列における前記第一のセルを貫通させて次のセルに進入するように前進させ、各セルの分注可能成分を前記カニューラを通じて分注しうるように構成され、
ここで前記カニューラの前進は、離散的又は連続的に行われる、システム。
【請求項３５】
前記穿孔デバイスが、１又は２以上の末端が先鋭化されてなる中空チューブである、請求項３４に記載のプログラム可能試薬送達システム。
【発明の詳細な説明】
【技術分野】
【０００１】
本発明の分野は、液体又は半固体環境を要する１又は２以上の分析試験を実施するために携帯可能且つ操作可能と考えられる、自己完結型単回使用流体制御式分析デバイスに関する。本発明に関する用途としては、環境試験、食物安全管理、国防、リサーチツール、薬物開発、医療診断等の分析試験を用いる実用分野がある。
【背景技術】
【０００２】
微小流体デバイスは、適切な基材内に物理的に設けられた固定配置の連続流式流体制御ネットワークによって実現される、固体状態の混合デバイスである。この流体制御ネットワークは、少量の分析材料を制御下で、外部から人間が補助することなく混合することを可能とするものであり、これによって多くの複雑な分析手順の自動化を可能とするポテンシャルを秘めている。簡素な混合マニホールドから完全統合型の自己完結式分析システムまで、広範囲の微小流体デバイスが存在する。各デバイスは、自己完結性の程度、実施可能な試験の数及び種類、その流体制御、及びその製造方法において異なる。本発明の対象が最も密接に関連するのは、液体又は半固体環境内における１又は２以上の定量又は定性分析試験を容易化するべく操作可能な、携帯可能な自己完結流体制御型カートリッジとして実現される、完全統合型の分析システムである。
【０００３】
携帯性及び自己完結性の要請を満たすために、これらのデバイスは、現場で試料収集の地点に容易に移送可能且つ操作可能でなければならない。また、これらのデバイスは、外部から補助することなく１又は２以上の分析材料を保管し、分注し、制御下での混合を容易化することができ、且つ、分析試験の実施の間に用いられる排溶液の総量を保持しうるものでなければならない。斯かるデバイスは一般に、個別に分割できない総体的に自己完結した製品として、先進のリソグラフィー技術により、或いは累加のステンシル層を積層することにより、流体制御ネットワークに必要な流体制御構造を形成して製造される。次に、試験の実施に必要な分析材料をこれらの構造に装填し、デバイスを密閉することにより閉鎖型システムを形成する。二、三の例外を除いて、これは不可分の構成部分を有するデバイスを生成する連続的な製造プロセスである。斯かるデバイスは通常、デバイス内に圧力傾度力を生じさせ、圧力を上昇させた領域から圧力の比較的低い領域へとデバイス内で流体の運動を引き起こすことにより作動する。操作可能な圧力傾度力は、空気式、油圧式、又は蠕動式ポンプを用いて気体又は非混和性液体を１又は２以上の入口に導入する一方、それに比例する量を出口から排出することにより、或いは、流体制御ネットワークに組み込まれたブリスター包装から物質を放出させて圧力を上昇させることにより、直接生成することができる。また、斯かる圧力傾度力は、プランジャーシステム、スクイーズバルブ、遠心分離機等を用いた間接的な手段により生成することもできる。また、電場内での荷電分子の電気化学的動力特性を利用することも可能である。これらのデバイスにおける流体の混合の制御は、通常は個別に較正された長さ及び直径の異なる複数のパスに沿って複数の流体を同時に放出することにより、及び／又は、デバイスの周囲に計画的に配置された１又は２以上の流体容器に対して、操作可能な起動力を選択的に生成するすることで、各流体を時系列に沿って放出することにより行われる。要するに、複数の異なる分析試薬は異なる流速及び混合速度を呈するところ、大容量の下では通常は見過ごされてしまう毛管現象や表面張力等の弱い力が、少量の流体力学では優勢な力となる。同様に、異なる試験であれば、そこで求められる試薬の種類や量、更にはその投与の時系列も異なる。全材料の総量を経時的に制御された方式で保存し、混合し、保持するべく操作可能な流体制御ネットワークを設計するという行為によれば、得られるデバイスは通常、所与の試験に特化した極めて専用性の高いものとなる。即ち、各試験や複数の試験の組み合わせ毎に、新たなデバイスが必要となる。
【０００４】
デバイスがその流体制御経路及びそこで採用される動作様式を達成するためにどのような構成を取るかによって、実施可能な試験の数および種類が決定されることになる。２以上の試験を実施可能に構成されたデバイスは、同種（homogenous）検査プラットフォームと異種（heterogenous）検査プラットフォームとに大別される。これら２種類の間の相違、また、各種類内での相違ゆえに、「試験」（test）をその試料源で呼ぶのか、測定対象となる変数で呼ぶのか、それともその両方で呼ぶのかによって、多少の混乱が生じる場合がある。明確化のために、本明細書では「（１つの）試験」（a test）、「複数の試験」（multiple tests）、又は「１又は２以上の試験」（one or more tests）との語は、「１又は２以上の単一種類の試験」（one or more of a type of tests）等と同義に用いることを意図する。同種検査プラットフォームでは、複数の試験を二種の方式のうち少なくとも一方の方式で実施可能である。即ち、試験プロトコールを一定とし、試験対象の試料を変化させることができるか、或いは試料を一定とし、試験プロトコールに使用される試薬について、その投与量や投与の順番を変更することなく、その種類を変化させることができる。第一の例では、複数の試料源が同じ化合物について試験されることになり、第二の例では、単一の試料源が複数の化合物について試験されることになる。「試験」（a test）をどう定義するかに関わりなく、何れの例でも、各流体の投与の量及び時系列を一定に維持することで、一つの流体制御ネットワークを試験の種類に応じて較正することが可能となり、続いてこれを対称的に複数の所望の試験について再現することで、全ての試験を同時に画一的な方式で実施することが可能となる。斯かるシステムの対称性ゆえに、これらの流体を駆動するための起動力を印加する手段（ポート、電極、プランジャー等）は、デバイスの種々の反復を予測し得ると共に、デバイスの全体的な寸法を節約するように配置される。これによって、複数のデバイスを共通の分析機器によって操作することが可能となり、惹いては高い商業的価値が生まれることになる。「分析機器」（analytical instrument）との語は、本明細書で使用する場合、デバイスから得られたデータを操作及び分析可能に特別に構成された二次的な機器を総称的に指すものとする。これに対して、異種検査プラットフォームとは、異なる種類、量、及び経時的放出順序が異なる複数の試薬を用いた複数種類の異なる試験を統合したものである。これらの検査プラットフォームは、単一の試料源に対して実施できる試験の多様性ゆえに、より高い商業価値を有するものの、その非対称性ゆえに、同種検査プラットフォームと比較すると、その設計及び操作は桁違いに困難になってしまう。同時に動作可能な異種検査プラットフォームは幾つか存在するものの、それらの商業上の有用性は通常、複数の小型の試験に限定されている。商業上関連する複数の試験を実施する異種検査プラットフォームは、通常は個別に異なる構成を有し、互いに独立に動作可能な複数の流体制御ネットワークを必要とする。これゆえに通常は、システム内で複数の流体を移動させるのに必要な起動力を生じさせる手段（ポート、電極、プランジャー等）の配置の予測は不可能である。従って、複数の異なる分析機器を使用するか、これらのシステムを操作可能とする複雑なアダプターを使用する必要が生じるが、これらは何れも商業上好ましくはない。
【０００５】
設計及び操作の困難性、個別要素への不可分性、及び総体的な自己完結性に加えて、これらのデバイスの多くは耐故障性に乏しく、製造が困難である。例えば、多数の分析試薬を処理するデバイスの有効期限は、これらの試薬のうち最短の寿命を有するものによって決定される。製造の観点からは、単一のデバイスにおいて実施される複数の試験として、有効期限及び保存条件の面で互換性のあるものを計画的に組み合わせることにより、各デバイスの稼働寿命を最大化することが好ましい。これにより、斯かるデバイスの有用性を最大化するための妨げとなってきた、複数の同等の試験を実施するのに必要な複数のデバイスを多様化することが可能となる。デバイスが個々の構成部分に分離不可能な場合、デバイスの個々の要素について個別に故障試験を行うことはできず、これが連続的製造プロセスとも相まって、デバイス組立時のリスクプロファイルを増加させる原因となっている。即ち、どれか一つの要素でも仕様に適合しない場合、デバイス全体が犠牲となってしまい、そのコストが増大してしまうことになる。同様に、欠陥を有する構成要素を交換できないと、製造後に分析試薬、センサー、又は他の材料が寿命に達した場合や、予想よりも早く使用不能又は機能不全に至った場合に、製造ロット全体がリスクに晒されることになる。
【０００６】
前述したように、単一の試料源から可能な限り多くの種類の試験を実施すると共に、共通の分析機器を用いたシステムの試験能力を多様化するべく、デバイスを異なる方法で繰り返し使用することが、商業上は好ましい。このためには、各デバイスの繰り返しには、共通の分析機器と作動式に連携するための作動機構及び全体寸法の双方を節約しなければならない。これは即ち、試験環境に応じて、実施される複数の試験集合の総反応量を収容するように、流体制御ネットワークのスケールを拡大又は縮小しなければならず、システムに統合される試験の数が増加するほど、物理的スペースを開放するために試験当たりの総反応物量を縮小しなければならないことを意味する。流体制御ネットワークの物理的レイアウトは主に設計上の問題であり、それ自体に制約がある。試験の総反応物量、特に試料量を低減できるのは、より大きな系を有意義に反映する範囲に限られる。従って、多くの生物分析系のように希釈環境中に少量の標的が存在する環境では、十分な試料サイズを確保して有意義な試験を行わなければならない。即ち、流体制御システムを拡大してより多くの反応物を扱えるようにしなければならず、これによりデバイスが実施可能な総試験数が制限されることになる。これも商業上は好ましくない。従って、所与の試験を実施するのに必要な流体制御ネットワークを簡素化することにより、物理的痕跡を低減することが商業上好ましい。
【０００７】
これで十分に網羅される訳ではないが、商業上実用しうる微小流体カートリッジ設計は、十分な試料サイズに対して精度、感度、及び再現性を以って、複数種の試験を実施することを可能とすべきである。大きな設計変更を要することなく新たな試験又はその組合せに適応できるように、流体制御ネットワークを簡素化及び標準化すべきである。デバイスの動作様式及び全体寸法は、複数のデバイスを単一の分析機器で操作可能なものとすべきであり、デバイスは商業スケールで容易に製造でき、故障検査や故障耐性も改善されたものとすべきである。
【発明の概要】
【課題を解決するための手段】
【０００８】
本発明の対象は、複数の可能な分析カートリッジを作製するためのモジュラーシステムの使用、共通の連続流式流体制御ネットワークに由来するモジュラー分析カートリッジを作製するための方法、分析タスクの１又は２以上の工程を実施するよう操作可能とすることができる複数の可能なモジュール型、自己完結したデバイスとして分析タスクを実施するよう操作可能な複数の可能なモジュラー集合体、分析カートリッジにおける個別包装された複数の試薬の使用、分析カートリッジにおける直列化された試薬クラスターの使用、分注可能材料を分析タスクに対して放出する順序をプログラムする方法、並びに、種々の分注可能材料を２以上の分析タスクに対して放出する順序を経時的に同期する方法に関する。
【０００９】
本発明のある側面は、流体制御型システムの種々の側面に関する。本明細書の文脈において、「流体制御ネットワーク」、「流体制御構造」、及び「流体制御経路」との語は、以下のように用いられる。「流体制御経路」（fluid control pathways）とは、二つの構造の間で流体材料の移送を可能とするパスを画定する構造を指す。「流体制御構造」（fluid control structure）とは、流体制御ネットワークを含む種々の構造要素、例えば容器や分析チャンバー等に関する。「流体制御ネットワーク」（fluid control network）とは、流体制御システムの総体を指し、種々の流体制御経路及び流体制御構造の物理的配置を含むと共に、とりわけこれらの物理的配置を指す。これらの物理的配置によって、複数の分析材料の制御された混合が可能となる。同様に、「動作モード」、「作動機構」、及び「動作方法」との用語は以下のように用いる。「動作モード」（mode-of-operation）とは、種々のモジュール又はモジュラー集合体の内部で用いられる傾度力の種類、例えば遠心分離力、圧力傾度力、電気化学起動力等を指す。「作動機構」（mechanism-of-operation）とは、傾度力を発生させるのに使用される手段、例えば線形アクチュエータ、遠心分離機、空圧式又は蠕動式ポンプ等、或いは電流等を指す。「動作方法」（method-of-operation）とは、カートリッジをどのように操作するかを意味し、通常は自動、手動、又は自動及び手動プロセスの組合せを指す。斯かるプロセスは、所定の段階的プロセスを自動化するべくプログラム又は機械構成されたコンピューター支援デバイスにより、及び／又は、ヒトの手を用いてデバイスを把持又はその他の手法で操作することにより、容易化することができる。
【００１０】
理解されるように、特定の試験指令の環境として、多数の物品を用いることにより、複数の異なる種類のモジュールを相互接続し、複数の流体の運動を制御し、カートリッジの動作に必要な種々のタスクを実施してもよい。斯かる物品としては、一義的に配置された共働機能アタッチメント、共働スライド及びスライドガイド、クリップ、アップリケ、或いはその他の、特定のモジュールの集合体を特定のカートリッジ型へと指示することが可能な手段；空洞、ブラダー、及び／又は、包装済みの試薬セルを用いて流体を受容、保存、及び／又は利用可能とする手段；ジュール内及びモジュール間での流体移送を可能とする手段、特にチューブやチャネル、或いは他の幾何学的形状の、移送を容易とし、可能であれば流体の分離を容易とする手段；相互接続された複数モジュールの共働流体移送経路間での流体の相互関係及び移送を改良する手段、例えば機械的封止材、ガスケット、滅菌封止バリアー、又は自己回復ストッパー；流体制御を改良する手段、例えばスイッチ、チューブ、弁、チョークポイント、ダイバータ、穿孔デバイス、シャント、ポート、ベント、ガスケット、圧縮フォーム、及び／又は、磁化若しくは磁性材料；分析用試料を調製することを意図する機械的又は化学的手段、例えば分析試薬、膜、篩、フィルター、又はモジュールを遠心分離するための機構；分析手順に関連するデータの取得を支援する手段、例えば電気的、化学的、及び／又は光学的手段：センサー、メーター、フィルター、光電子増倍管、偏光子、又は遮光性、反射性、若しくは透明な材料、構造、若しくはアップリケ；モジュール又はモジュール集合体の内部又は周囲で発生させた電流を用いてデバイスの動作を更に可能とする手段、例えば電気回路、導電性材料、蓄電デバイス、例えばバッテリーやキャパシター等；並びに、モジュールを他のモジュールに対して、他のモジュールの内部又は周囲に設けられたガイドパスにより、相対的に移動可能とする手段、例えばプランジャー、選択的モジュール配置、線形アクチュエータ、スライド、又は他の種類の動作を配向させ、若しくは動作を付与するデバイス等が挙げられる。
【００１１】
本発明の一側面によれば、液体又は半固体環境で１又は２以上の分析試験を実施するよう操作可能な、広範な種類の分析カートリッジの作製を可能とするよう構成されたモジュラーシステムが提供される。このモジュラーシステムの種々の側面によれば、複数の可能なモジュラー集合体を最終的な組み立て状態とした場合の全体寸法及び作動機構を節約することが可能となる。これにより、前記システムに由来する複数種のカートリッジを、共通の分析機器により操作することが可能となる。モジュラーシステムの他の側面によれば、分析プロセスの１又は２以上の工程を機能的自己完結型ユニットとして実施するよう操作可能とされた複数の個別のモジュールとして製造される、複数の流体制御構造の機能集団が提供される。これにより製造プロセスをセグメント化することができるので、クリーンルーム等の専用施設を必要とするモジュールの製造コストを、より専門性の低いモジュールから切り離すことが可能となると共に、種々のモジュールを商業的に意味のある製造スケールで製造するスケーラビリティも改善される。このシステムの他の側面によれば、最終的に組み立てられたデバイス形態とは独立に、個々のモジュールの故障検査が可能になると共に、最終的に組み立てられたデバイスの故障耐性も改善される。例えば、試験の初期設定前の任意の時点において、あるモジュールが動作仕様を満たさない場合、許容しえない困難やデバイス全体を犠牲にする恐れ等を伴うことなく、このモジュールをデバイスから容易に切り離し、機能するモジュールと交換することが可能となる。このモジュラーシステムの更に他の側面によれば、独自の作動機構が実現される。特定のモジュラー集合体によれば、あるモジュールを別のモジュールの内部に配置し、このモジュールに対して相対的に移動させてもよい。このシステムにより実現される多くの種類のカートリッジは、モジュール内及びモジュール間における流体の運動を誘導するために空気圧駆動圧力勾配を用いるが、この種類のモジュラー配置を有する特定の態様では、当該システムにより提供される追加の側面を操作するべく、２つのオブジェクトを互いに内側に運動させることにより付与される圧縮力を利用した機械力を用いてもよい。本発明のモジュラーシステムの他の側面によれば、共通の流体制御ネットワークに由来する複数の共働モジュールの一義的組立パターンを、特定のモジュラー集合体へと誘導する手段が提供される。これにより、最終的に組み立てられたデバイスの動作を可能とすることもできる。これは例えば、デバイスを１又は２以上の位置において誤って組み立てる可能性を有するモジュラーシステムを用いる場合に好ましい。斯かる手段としては、複数の共働モジュール間における共働機能アタッチメントの１又は２以上の物理的要素の特定の配置及び相互関係、及び／又は、適切なモジュラー集合体の視覚表示を提供するアップリケや他の視認要素が挙げられる。これらは、分析デバイスの種類やその特定の動作パラメーターに関する情報を更に有していてもよい。また、斯かる手段として、複数の共働モジュールの周囲に電子回路の部分を設け、適切に組み立てた場合にのみ閉回路が形成されるようにした構成も挙げられる。これに伴い、カートリッジを操作可能に設計された分析機器に対して、カートリッジの動作に関する情報を導通させるように構成してもよい。当該システムの他の側面は、特定の分析タスクの要請に応じて、個々のモジュールの物理的寸法及びそれら相互の配置を変更することが可能であると共に、最終的なデバイス形態の標準的な全体寸法及び作動機構に適合することが可能であるという能力に存する。これにより、本発明のモジュラーシステムは、共通の分析機器に依存しながらも、広範な種類の分析タスクの実施に対して高い適応性を有する。
【００１２】
本発明の別の側面によれば、分析試験を閉鎖型システムとして実施するよう操作可能なモジュラー分析デバイスを作製する方法が提供される。当該方法は、試料に対して実施される１又は２以上の分析試験を選択する工程；選択された分析試験を実施するよう操作可能な、とりわけ流体制御経路により作動式に相互接続された必要な流体制御構造を構成する、連続流式流体制御ネットワークを設計する工程；流体制御ネットワークを、当初の流体制御ネットワークを再組み立て及び再構築するのに十分な共働モジュラー性を有する複数の個別の製品として製造するのに適した、複数の機能集団に分割する工程を記載する。機能部位内に含まれる流体制御構造の選択は、各試験の環境に応じて変更しうるが、製造及び動作の観点からは、類似の機能を有する流体制御構造の機能部位を作製することが好ましい。例えば、分析チャンバーが滅菌状態に維持しなければならない分析試薬を保持するように構成されている場合には、前記チャンバーのみを有する機能部位を個別の製品とすることが好ましい。この例では、単一のモジュールを滅菌環境下で操作可能とし、密閉して分離施設に輸送し、そこで分析試験を実施するのに必要な他の要素を有する追加のモジュールと連結することができる。しかし、単一のモジュール内で複数の流体制御構造の異なる組合せを構成してもよい。これは、例えば前述したモジュール態様に廃液容器を含める場合のように、特定の環境では好ましい。
【００１３】
本発明の別の側面によれば、前記試験を実施するのに必要な分析材料を含めることにより、分析試験の１又は２以上の工程を実施するよう操作可能とすることができる複数の可能なモジュールが提供される。以下に選んだ可能な態様は、種々の動作の場面にて表される数々の可能なモジュール態様の種々の側面を説明するために提供されるものである。可能な態様の含有や除外は、如何なる点でも限定的なものではなく、むしろ選択されたモジュール態様の種々の側面について、より広範な局面を伝えるべく提供されるものである。これらのモジュールの一側面は、１又は２以上の分析タスクを実施可能に構成された共通の流体制御ネットワークから機能的に低減され、個別化された１又は２以上の流体制御構造の含有である。「機能的に低減された」（functionally reduced）との用語は、１又は２以上の流体制御構造、それらの対応する流体制御経路、及び他の必要な装備又は材料を、選択された流体制御ネットワークの一体の機能部位へと統合することを意味する。同様に、「個別化された」（personalized）との語は、操作可能な機能部位が流体制御ネットワークから物理的に分離され、個別モジュールとの関連で不可分且つ操作可能な状態で設けられていることを意味する。例えば、斯かる流体制御構造としては、分析試験の過程で使用される分析試薬、試料、又は廃液を保存、分注、及び／又は、保持することが可能に構成された種類の容器が挙げられる。別の例としては、種々の材料を制御された方式で混合し、或いは実施されている試験に関連する情報の収集を可能とする場所として機能する、混合チャンバー及び／又は分析チャンバーが挙げられる。モジュールの別の側面としては、他の流体制御構造、蓄電デバイス、センサーを具現化した、或いは単にデバイスの全体寸法及び／又は動作モードを節約する機能を有する、各種のモジュールサブアセンブリーを収容するように構成された、実質的に固体の構造、区画、又はスロットとして具現化された機能構造を有していてもよい。他の例としては、２以上の機能を単一の構造に統合した多用途構造、例えば二重混合／試料容器等が挙げられる。流体制御構造については数多くの種類及び配置が考えられるが、斯かる構造を含めるか否かは、試験を実施する環境に依存することになる。また、各モジュールは更に、異なる種類の分析タスクを可能とする装備、例えばフローサイトメトリーを実施するためのフロー開口部、荷電材料の電気泳動分離を可能とする電流を発生させる電極、或いは、モジュール内又はモジュール間に圧力勾配を印加するべく種々のモジュールの気体又は液体の付加又は除去を可能とするポートが挙げられる。モジュールの他の側面としては、モジュール集合の動作を可能とするべく機能しうる２以上のモジュールの特定の組立パターンを補助するために使用できる機械的手段が挙げられる。これらのモジュールの他の側面によれば、１又は２以上の選択された共働モジュールと協調するモジュールの周囲に設けられた共働機能アタッチメントの１又は２以上の要素を含む。例えば、共働機能アタッチメントの要素としては、歯溝クリップの歯が挙げられる。この場合、一方のモジュールに歯を配置し、共働モジュールに溝を配置し、これら双方の要���の位置合わせは各モジュールに選択的とする。別の例としては、スライド／スライドガイド集合体が挙げられる。一方のモジュールにスライドを設け、共働モジュールにスライドガイドを設け、集合体の幾何学的形状、例えば箱型スライド、バレル型スライド、又は三角形型スライド等は、共働モジュールに選択的となるようにする。これらのモジュールのある態様によれば、モジュールの１又は２以上の側面に開口するように、１又は２以上の流体制御経路が設けられる。モジュラー態様の種類に応じて、これらの開口は入口及び／又は出口とする。これらの流体制御経路の別の側面としては、これらの入口又は出口の物理的配置を、共働モジュールの流体制御経路と連携し、共働するようにする。同様に、これらのモジュールの特定の態様は、モジュールに内在する流体制御構造内に材料を包含するために、封止可能である。この封止材のある側面によれば、モジュール間の流体連結を許容するべく、封止材は可逆的である。これを達成する手法は多数考えられる。例えば、第一のモジュールが、流体制御経路内に作動式に収容された穿孔デバイスを有し、これによりその開口上に粘着性バリアーを配設可能に構成するとともに、第二の共働モジュールが、操作可能な直径を有する突起を有し、これが第二のモジュールから延在し、粘着性バリアーによって封止されるように構成する。これら２つのモジュールを動作前状態へと組み立てると、２つの経路が相互に接触することなく作動式に対向する。分析タスクを実施するべくこれを作動させると、第二のモジュールの突起が第一のモジュールの粘着性バリアーを穿孔すると共に、第二のモジュールの粘着性バリアーが第一のモジュールの流体制御経路内に収容された穿孔デバイスによって穿孔される。或いは、第一のモジュールが自己回復型ストッパーを有すると共に、第二のモジュールが露出した穿孔デバイスを有するように構成してもよい。この配置では、実施される試験の動作パラメーターに応じて、これら２つのモジュールが穿孔デバイスを１回又は２回以上に亘って挿入・抜去するように動作される。繰り返すが、これらは１又は２以上の封止されたモジュール間で流体連結を確立するために可能な手段の一部の例に過ぎず、本発明の特定の態様の動作に必要となり得る動作的側面の背景を提供するものである。
【００１４】
また、本発明は、分析カートリッジ中での個別包装試薬の仕様を提供する。本発明のこの側面によれば、複数の分析試薬の所定量がそれぞれ個別の製品として具現化される。これらを「湿潤セル」（wet cells）と呼ぶ。湿潤セルとブリスター包装や予充填試薬との違いは、湿潤セルは物理的にデバイスから分離されており、流体制御ネットワークには組み込まれておらず、また、その内容量は包装によって規定されており、従来配置される固定容器の充填量ではないという点である。これらは自己完結型の個別製品であり、試薬クラスターと相互接続する手段によって使用される。斯かる手段としては、留め金、ネジ連結具、粘着材、又は単なるグループ化が挙げられる。これらは個別包装試薬を用いることで、多くの利点や有用性を有する。試薬の所定量をバルクで製造し、後に別の場所で分析デバイスに組み込むことができる。また、個別包装されているため、静止状態の流体の拡散を防ぐために必要な複雑な流体封じ込め戦略を不要とし、複数の試薬を種々のモジュラー集合体の異なるモジュール内に共局在化させると共に、試薬放出機構をより簡略化することができる。廃液も減らすことができる上に、機能不全や寿命に達した場合は容易に交換することができ、特定の試薬については有効期限を延長するために、特殊包装とすることもできる。例としては、感光性試薬を封入するための遮光材料等が挙げられる。これらの湿潤セルの更なる側面によれば、試験環境の要請に応じて、分析材料の単回使用量又は多回使用量を湿潤セル内に封入してもよい。
【００１５】
本発明の別の側面によれば、直列化された試薬クラスターとして物理的に具現化された、プログラム可能試薬送達システムが提供される。この直列化試薬クラスターの一側面は、分析試験の動作プロトコールを、分析試験を実施するのに必要な分注可能材料を含む複数の湿潤セルの所定の物理的配置へと変換するものである。前記湿潤セルは、分析試験により用いられる第一、第二、第三等の試薬の順序に応じて、直列に配置される。斯かる直列配置によって、前記配列の各セルに対するカニューラの直線的な挿入を、経時的に制御しながら順次行うことができ、これにより前記カニューラを介して各セルの内容物を分注することが可能となる。この直列化された試薬クラスターの他の側面によれば、本発明の他の側面により提供される作動機構を利用することも可能となる。例えば、上述したような２つのモジュールを相対的に移動させることにより生じる圧縮力、他のモジュラーサブアセンブリーを収容するスリットを有しうるモジュール、或いは、二重機能プランジャーシステムを有するシリンジ様分析システムにおける斯かるシステムの使用について、以下に説明する。
【００１６】
本発明の別の側面は、圧縮型に関する。当該システムを駆動する作動機構に応じて、特定の態様では、圧縮型の使用を必要とする場合がある。圧縮型とは、試薬集合の形成に際し、直列化された試薬クラスターを受容するように構成された開口を有すると共に、カニューラに対して相対的に移動させるように作動可能に構成された構造を有する。圧縮型の機能は、試薬クラスターのセルを包含して圧縮するための空間の提供にある。斯かる圧縮は、前記直列配置内の各セルを圧縮するよう操作可能な試薬クラスターの末端に対して、圧縮力を印加することで行われる。この圧縮型の特定の態様によれば、圧縮力による直列化試薬クラスターの圧縮により前記開口の壁に変形力が生じた場合に、斯かる変形に対する耐性を有する剛性材料を用いて生成しうる。圧縮型の他の態様によれば、圧縮型及び直列化試薬クラスターの双方が圧縮力により圧縮された場合に、１又は２以上の直列化された試薬クラスターの変形に抗する作用を有する、圧縮性及び弾性の特性を有する材料を用いて生成しうる。斯かる圧縮型は、装置内で漏出した分注可能材料を吸着するよう操作可能な吸着性を有していてもよい。また、この試薬集合の特定の態様によれば、直接カニューラを有してこれを位置づけるように構成されていてもよいが、他の態様によれば、デバイス周囲の他の場所にカニューラを配置する方がより好ましい。直列化試薬クラスターの別の側面によれば、単一流体連結経路に沿って複数の流体と連通する能力も提供される。本側面によれば、本発明により実現されるデバイスの流体制御ネットワークの構造を劇的に簡素化することができ、惹いてはより大きなスペースを確保してより多くの試験を行うことが可能となる。
【００１７】
本発明の別の側面によれば、湿潤セル及び乾燥セルの双方を有する直列化試薬クラスターを用いた１又は２以上の分析試験の動作をプログラムする方法が提供される。分注可能な内容物を有さない乾燥セルは、湿潤セル間を物理的に分離することによりインキュベーションサイクルを提供する機能を有する。乾燥セルの内部体積により提供される分離が大きいほど、インキュベーション期間もより長くなる。乾燥セルは、複数の処理サイクル間のインキュベーションサイクルを許容することにより、複数の直列化試薬クラスターを時間的に同期し、複数の分析試験を並列に実施することが可能となる。斯かる構成は、試薬クラスターを個別に又は纏めて、段階的に又は連続的に駆動することにより達成することができる。斯かる方法論及び装置の使用により、流体制御ネットワークの物理的配置とは概ね独立の方式で、１又は２以上の分析試験を構成することが可能となる。これにより、同等の動作プロトコール、或いは、種々の分析試薬の種類、投与量、及び投与時機が異なる極めて多様な動作プロトコールを伴う、複数の異なる種類の試験を実施する高次元の適応性が提供される。
【００１８】
本発明の別の側面によれば、複数の可能なモジュラー集合体は、単一デバイスの態様において、１又は２以上の分析試験を実施するのに必要な分析材料を含めることにより、斯かる試験を実施するよう操作可能に構成してもよい。以下の可能な態様の選択は、本発明を種々の状況において説明するために供するものである。可能な態様を含めるか否かは、如何なる意味でも本発明を限定することを意図するものではなく、むしろ本発明のより広い態様を伝えるためのものである。複数の可能なモジュラー集合体を用い、液体、半固体、懸濁固体、又はこれらの組合せにおいて、１又は２以上の分析試験を自己完結システムとして実施できるよう構成することができる。前記システムは、１又は２以上の分析試験を実施するべく操作可能な閉鎖型連続流システムを有する２以上のモジュールのモジュラー集合体、例えばシリンジ系システム、電気泳動システム、セル培養システム等であってもよい。
【００１９】
本発明には多数の用途が考えられる。その中には、流体系の分析論又は半固体又は懸濁固体環境下の分析論を用いる技術分野が含まれる。本明細書で提供される態様は、本発明の概略的な有用性を、少数の選択された状況との関連で説明することを意図したものであり、可能なモジュール配置、カートリッジ態様、或いは本発明のあらゆる可能な有用性を網羅的に列記することを意図したものではない。本明細書に記載された機能要素の数及び種類は本発明の限定を意図したものではない。具体的な分析手順の仕様として、異なる数及び種類の機能構造を含めることが好ましい。全ての機能構造、変形例、或いは可能な配置が、本明細書に記載されているわけではない。
【図面の簡単な説明】
【００２０】
【図１Ａ】図１Ａは、モジュール１、容器１１、箱型スライドガイド１２、フランジ１３、カニューラ１４、及び空圧ポート１５を含む、可能なモジュールを示す。
【００２１】
【図１Ｂ】図１Ｂは、モジュール１、カニューラ１４、及びバルブ集合体を含む、図１Ａに記載のモジュールの別態様を、押圧状態１６及び開放状態１７で示す。
【００２２】
【図２】図2は、モジュール２、容器２１、円筒状スライドガイド２２、フランジ２３、カニューラ２４、及び空圧ポート２５を含む、可能なモジュールを示す。
【００２３】
【図３】図３は、モジュール３、開放スロット３１、円筒状スライド３２、箱型スライド３３、及び箱型スライドガイド３４を含む、可能なモジュールを示す。
【００２４】
【図４】図４は、モジュール４、閉鎖型構造４１、円筒状スライド４２、及び箱型スライド４３を含む、可能なモジュールを示す。
【００２５】
【図５】図５は、モジュール５、箱型スライド５１、混合チャンバー５２、入口５３及び５４、出口５５及び５６、並びに機能アタッチメントの点５７を含む、可能なモジュールを示す。機能アタッチメントはモジュールの反対側にも対称的に存在するが、明確化のために省略している。
【００２６】
【図６】図６は、図１〜５に示したモジュールの組立パターンを説明するための拡大透視図である。これらのモジュールは、第一のアタッチメントでモジュール２と５との間をパス６１を通じて連結することにより集合２：５を形成し、第二及び第三のアタッチメントで集合２：５とモジュール３及び４との間をパス６２及び６３を通じて連結することにより集合２：５：３：４を形成し、第四のアタッチメントで集合２：５：３：４とモジュール１との間を連結することにより最終的な集合２：５：３：４：１が形成される。種々のスライドガイドによって、更なるモジュールの集合体を操作可能な最終形態へと組み立てる際に、組み立ての特異性を付与することができる。例えば、モジュール５をモジュール３及び４と相互接続することにより、モジュール２は集合から排除される。これは、モジュール３及び４上に存在するスライドガイドが円筒形状を有するためである。これ故に、前記モジュールを、モジュール２上に存在するスライドガイド内に特定の方式で挿入する必要がある。
【００２７】
【図７Ａ】図７Ａは、４つの図からなる組の第一の図であり、モジュール１〜５、通常は矢印７０〜７３で表される４つの相互接続パス、並びにポート７４及び７５を含む５モジュール集合の相互接続及び動作を表す。
【００２８】
【図７Ｂ】図７Ｂは、モジュール１〜５を静止組立状態で示す図である。
【００２９】
【図７Ｃ】図７Ｃは、図７Ｂに示したモジュール１〜５の透視図であり、斯かるモジュール内の種々の内部構造の仮想的な配向及び配置を示す。
【００３０】
【図７Ｄ】図７Ｄは、図７の最後の図であり、矢印７６及び７７は、モジュール３及び４をどのようにモジュール５（点線）の内部へと相対的に移動させるかを示す。斯かる動きによって、モジュール３及び４に設けられる材料が圧縮される。
【００３１】
【図８】図８は、図７Ｃには示されていない、可能な試薬モジュールを示す。前記モジュールは、一連のカニューラ８１、圧縮型８２、分注可能内容物の存在を示す幾何学形状を含む湿潤セル８３、分注可能内容物が存在しないことを示す黒四角の乾燥セル８４、６つの分析プロトコール８５．１〜８５．６を実施するように配向された種々の直列化試薬クラスター８５、４段階の操作８６．１〜８６．４への時間的同期８６、明確化のため空箱として示されるモジュールハウジング８７、並びに、種々の要素を操作可能な集合体へと組み立てた試薬モジュール８８を含む。
【００３２】
【図９】図９は、流体連結の複数のパスを有する可能な反応器モジュール９０を示す。流体連結の第一のパスは入口９１から開始し、一連の混合チャンバー９５内を進行して、出口９２で終了する。流体連結の第二のパスは入口９３から開始し、個々の混合チャンバー９５内を進んで、出口９４で終了する。
【００３３】
【図１０】図１０は、図７Ｄにて前述したように、図８に示す試薬モジュールを図９の反応器モジュールの内部へと相対的に進行させることにより、試薬モジュールと反応器モジュールとがどのように操作されるかを示す図であり、項１００〜１０４を含む。項１００は、前記の反応器と試薬モジュールとの静止状態における操作可能なインターフェースを示す。更に、他の図に記載の幾つかの特定及び非特定の要素を示す。本図において数字で示されているが特定されていない要素については、要素に関連づけられた識別番号の最初の数字を参照すれば、斯かる特定の要素を示す図を見つけることができる。例えば、項８１は図８に示されている。前記要素はカニューラ８１及び圧縮型８２を有し、圧縮型８２の一側面には反応器モジュールの入口９３が配置され、他方の面には直列化試薬クラスター８５．１〜８５．６が配置される。可動配置では、反応器モジュールは試薬モジュール内に侵入する。これは前述したように、反応器モジュールの箱型スライド５１と試薬モジュールのスライドガイド３４とによって提供される。項１０１は、試薬モジュールを反応器モジュールに対して少しだけ前進させた状態を示す。これにより、カニューラによって第一のセルの時系列８６．１が穿孔され、分注可能内容物が個々の混合チャンバー内へと放出される。項１０２〜１０４は、更に段階的に進行させることにより、時系列８６．２〜８６．４を順に放出させると共に、対応する使用済み材料の出口９４からの排出１０５を示す。
【００３４】
【図１１】図１１は、種々の試薬クラスターを接近させる別の方法を示す。図１０と同様、項１１０〜１１３は、スライドプランジャー１１０．１又はねじプランジャー１１０．２を用いることにより、試薬クラスターがカニューラ８１に対してどのように押圧されるかを示す。
【００３５】
【図１２】図１２は、別の可能なモジュラー集合体１２０を示す。本集合体は、プランジャー押圧部１２１、プランジャーシャフト１２２、通気式可撓性隔壁を有する双方向プランジャー１２３、試薬モジュール１２４、二重機能式試料／反応器モジュール１２５、ねじ式雄コネクター雄コネクター１２６、及び蓋１２７を含む。前記試薬モジュールは更に、通気式試薬モジュールハウジング１２４．１、直列化試薬クラスター１２４．２、並びに、カニューラ及び試薬ハウジング１２４．３を含む。
【００３６】
【図１３Ａ】図１３は、図１２に示す態様の動作に関する選択的な側面を示す。項１３０は、デバイス１２０、試料源１３０．１、及びプランジャー装置を含む閉鎖型状態を示す。項１３１は、プランジャー押圧部１２１を上方に引く動作１３１．１、プランジャーシステムと試薬モジュール１３１．２との間の空間の拡大、減圧１３１．３の形成、及び、二重機能式試料／反応器モジュール内への試料１３１．４の移動を示す。項１３２は、デバイスの蓋１２４による密封１３２．２を示す。この配置では、試薬モジュールの開口１３２．２を図示している。
【００３７】
【図１３Ｂ】図１３Ｂは、図１３Ａに示すデバイスの動作に関する追加の側面を示す。項１３３は、プランジャー押圧部１２０の押圧１３３．１、二重機能式プランジャーシステムの固定型通気式隔壁１３３．２及びプランジャー１３３．３への分解、並びに、試薬モジュール１３２．２の開口を示す。項１３４は、プランジャーシステム１３４．１の更なる前進によって、プランジャーが試薬クラスター１３４．２に対して押圧されて、試薬モジュール１３４．３内へと進行し、これによって順次、セルの内容物が二重機能式試料／反応器モジュール１３４．４内へと放出される。
【００３８】
【図１４】図１４は、仮想的流体制御ネットワークを個別のモジュールとして製造し得るように操作可能な複数の機能部位へと分割する方法を示す。項１４０は、分析タスクを実施するよう操作可能な、仮想的閉鎖型連続流式流体制御ネットワークを示す。斯かるネットワークは、試料容器Ｓ、混合チャンバーＭ、廃液コンテナーＷ、及び、４種の分析試薬を保持するための容器ｒ１、ｒ２、ｒ３、ｒ４からなる。更に、流体連結の第一のパスを示す直線矢印と、流体連結の第二のパスを示す点線矢印とを含む。前記ネットワークに向かう直線又は点線の波線矢印は、当該ネットワークを通じて流体を推進する手段（例えば高圧力）の印加を示す。一方、前記ネットワークから外に向かう直線又は点線の波線矢印は、当該ネットワークを通じて流体を抜き出す手段（例えば低圧力）の印加を示す。項１４１は、当該ネットワークの４つの可能な機能部位Ａ、Ｂ、Ｃ、Ｄを示す。項１４２は、当該ネットワークを更に機能的に簡略化して得られる、４つの可能な機能部位Ａ’、Ｂ’、Ｃ’、Ｄ’を示す。
【発明を実施するための形態】
【００３９】
図１Ａは、第一のモジュール１に存在し得る種々の機能要素を示す。前記モジュールは、試料チューブ１４、ポート１５、モジュールの基材により包囲された内腔１１、並びに、２つの共働モジュールから機能アタッチメントを受容することが可能な、２つの独立の可逆的機能アタッチメント対１２及び１３を含む。内腔１１に関して、前記内腔は、ある量の流体材料、例えば使用又は未使用の分析試薬又は試料等を保持するのに使用し得る。前記流体材料をこの内腔内に配置するには、供給チューブ１４を前記流体材料の供給源と流体連結し、次いでポート１５を通じて気体又は他の材料を内腔から除去する。これにより、内腔を通じて圧力勾配が形成され、結果として流体材料が内腔内に引き込まれることになる。しかし、他の選択肢も利用可能であり、一部の分析試験には他の選択肢の方が好ましい場合もある。例えば、内腔の全内容物を抜き出した後、前記内腔を穿孔可能バリアーで封止することにより、前記内腔内を真空状態としてもよい（図示せず）。続いて、前記サプライチューブの一端を材料供給源と連結し、他端の封止材を穿孔することにより、前記チャンバーの内圧が平衡状態へと移行するに伴って、流体材料を前記内腔内へと誘導することができる。或いは、図１Ｂは、モジュール１の内腔と作動式に連結されたスクイーズバルブ１６を用い、この内腔内に圧力勾配を形成する更に別の動作方法を示す。スクイーズバルブ１６を手動で圧縮することにより、内腔の内容物を排出することができる。その後、試料チューブ１４を材料供給源と連結し、次いでスクイーズバルブを開放することにより、スクイーズバルブが当初の状態１７へと復帰しようとするのに伴って、流体材料を内腔内に誘導することができる。本発明の文脈を逸脱することなく前記内腔を充填するために、記内腔を通じて圧力勾配を形成する方法は、多数存在する。本明細書に挙げる方法は、例示目的のためだけに選択された例に過ぎない。モジュールに存在しうる機械的特徴要素としては、可逆的機能アタッチメントの種々の態様が挙げられる。例えば、何れかの側の共働モジュールからスライド（図示せず）を受容するスライドガイド１２と、共働モジュールの溝に嵌合するように形成された、或いは共働モジュールの溝と連結可能な歯等のクリップの要素を有する様に形成された突出フランジ１３との対が挙げられる。これは、いかに単一のモジュールが３つの更なるモジュールを受容し、４つのモジュールからなる集合体を生成しうるように構成するかを示す例である。理解されるように、複数の異なる分析タスクには、２又はそれ以上のモジュールを含む分析カートリッジが好ましく、これらも本発明の文脈に合致する。
【００４０】
図２は、第二のモジュール２に存在しうる種々の機能要素を示す。前記モジュールには、試料チューブ２４、ポート２５、モジュールの基材により包囲された内腔２１、並びに、２つの共働モジュールからの機能アタッチメントを受容しうるように構成された２つの独立の可逆的機能アタッチメントの対１２及び２３が含まれる。
【００４１】
図３は、第三のモジュール３に存在しうる種々の機能要素を示す。前記モジュールには、スロット３１、モジュール内に配置されたスライドガイドの対として具現化された、スロット内の共働モジュールを受容するための第一の可逆的機能アタッチメントの対３４、幾何学的に区別可能なスライド３２及び３３として具現化され、各スライドに設けられた異なる共働モジュールの一義的アタッチメントを提供する、可逆的機能アタッチメントの第二の組を含む。
【００４２】
図４は、第四のモジュール４に存在しうる種々の機能要素を示す。前記モジュールは、流体制御ネットワークに関する機能構造を有さなくともよく、むしろデバイスの最終組み立て形態に特定の全体寸法を付与するのに必要な特定の配置を供すればよい。また、斯かるモジュールに、バッテリー、キャパシター、レジスター、或いは他の電気デバイス（図示せず）を収容させ、これらを用いて分析カートリッジに対するエネルギーを保持、供給、又は調整してもよい。
【００４３】
図５は、第五のモジュール５に存在しうる種々の機能要素を示す。流体制御ネットワークを含む当該モジュールは、モジュールの周囲に設けられた一連の入口５３及び５４並びに出口５５及び５６と、一連の混合チャンバー５２と、一端に共働モジュールを連結する溝５７の形態を有する可逆的機能アタッチメントの要素とを含むと共に、各側に沿って共働モジュールとの可逆的接続を提供する３組のスライド５１を含む。更なるモジュールを受容するための更なる要素が前記モジュール周囲に存在していてもよいが、これらは図の明確化のために図示していない。同様に、流体制御ネットワークの配置はあくまでも例示のみを目的とするものである。実施を意図する分析手順の量及び種類によって、多数の可能な配置を用いることができる。ここに図示される流体制御ネットワークの動作的側面は、混合チャンバー５２を通じた流体連結の複数のパスである。第一のパスは入口５４から開始し、各混合チャンバーを進み、出口５５で終了する。第二のパスは独立の入口５３から開始し、独立の混合チャンバーを進み、独立の出口５６で終了する。現配置では、試料は第一のパスを通じて各混合チャンバー内へと導入される一方で、複数の第二のパスは複数の分析試薬を混合チャンバー内へと導入するのに使用される。
【００４４】
図６は、５つのモジュールを有するカートリッジをどのように組み立てるかを示す図である。この図では、前述した第一のモジュール１、第二のモジュール２、第三のモジュール３、第四のモジュール４、及び第五のモジュール５を示すと共に、これらの相互関係を示すべく、前述した種々の可逆的機能アタッチメントによって各モジュールをどのように組み立てるかを示す点線６２〜６４を示す。本例で図示する組み立て順は一義的である。即ち、パス６１に沿った第一の接続モジュール５と２との連結を先に行わなければ、パス６２に沿ったモジュール３と５との連結、及び、モジュール４と５とを連結し、３モジュール集合体を形成することができない。モジュール１をモジュール集合２、３、４及び５に連結するためのパス６３及び６４にも同様のことが言える。この特定の態様は、いかにして特定のモジュールの組合せを特定の集合体へと誘導する物理的要素を付与するかを示す例として選択されたものである。斯かる構成は、物理的配置は類似するが分析試験が異なるモジュールからなる、複数の分析デバイスのアレイであって、これらの選択的手段がなければ不適切に組み立てられてしまう可能性がある場合に好ましい。本図において興味深い他の構造要素としては、モジュールの外周周囲を終端とするように配置され、共働モジュールの流体制御経路と連結可能に構成された開放系を形成する、流体制御経路の好ましい配置が挙げられる。更に、直線で示す流体制御経路53及び56は、混合チャンバー52への直接のアクセスを許容する点で好ましい。これにより、前記経路を通じて挿入されるデバイスの直径をより小さくすることができると共に、カートリッジの組み立てに先立ちモジュール内に自動的に分析試薬を導入する手段も提供される。
【００４５】
図７は、空圧式及び機械式作動機構の双方を許容しうる可能な５モジュールカートリッジ集合体の組み立て及び動作を、４つの分図Ａ、Ｂ、Ｃ、及びＤにより示すと共に、図１〜６により先に図示したような種々のスライド／スライドガイドの有用性を強調する図である。全体寸法及び作動機構が概ね節約された診断カートリッジの有用性は、複数の可能なカートリッジ集合の動作を単一の分析デバイス種へと併合する点で有益である。即ち、数及び形態が類似する複数のモジュールを有するデバイスは、最終目的となる集合体に応じた正しいモジュールを選択する際に、より曖昧となる場合がある。本図では、種々の機能アタッチメントを、共働すると共に、特定のモジュールに対する一義的な組立パターンを促進うるよう選択的となるように使用することを示す。この組み立てスキームの有用性はあくまでも例示を目的とするものに過ぎない。同等の結果を達成しうる配置が複数存在する場合、カートリッジの種類に束縛されない非一義的な機械的集合要素が好ましい状況もあろう。同様に、５モジュール集合に依存した説明は、中程度の複雑さを有するモジュラーカートリッジを提供するべく選択したものに過ぎず、本発明として当該カートリッジ寸法を含意するものでもなく、他の如何なる意味でも本発明を限定することを意図するものでもない。理解されるように、本発明のモジュラー構成は、操作可能な診断カートリッジの多くの可能な配置に適用可能であり、使用分野並びに必要な試験の種類及び量に応じて、更には状況の要請に応じて、２以上のモジュールを有するモジュラー集合体を用いることが好ましい。
【００４６】
図７Ａは、図１〜５において前述した５つのモジュールの、図６に図示した組立パターンを示す。本例の配置では、このカートリッジの組み立ては、廃液モジュール２と反応器モジュール５とを、パス７０に沿って相互接続することから始まる。図６に示すように、この配置において、廃液モジュールは、各試薬モジュールを受容するのに必要な連結点を（スライドの形で）提供し、これがパス７１を通じて試薬モジュール４と相互接続され、更にパス７２を通じて試薬モジュール３と相互接続される。この配置において、２つの試薬モジュールと反応器モジュールとは、試料モジュールを受容するための連結点を提供する。
【００４７】
図７Ｂは、５モジュールの組み立て状態を示す上面図であり、試料モジュール７４及び廃液モジュール７５に配置された２つのポートを強調して示す。これらのポートはとりわけ、反応器モジュールを通じて圧力勾配を形成するのに使用される。斯かる圧力勾配は、試料モジュール内に存在する試料の反応器モジュール内への運動、及び当該モジュール内での運動を誘発する第一の作動機構として使用できる。斯かる機構は、気体又は液体をポート７４から導入すると同時に、気体又は液体をポート７５から除去することにより達成される。
【００４８】
図７Ｃは、各モジュールの内部構造の透視図であり、各可能なモジュールの流体制御経路をどのようにして作動式に相互連結し、１又は２以上の選択される分析タスクに特異的な閉鎖型連続流式流体制御ネットワークを形成するかを示すことを意図するものである。
【００４９】
図７Ｄは、モジュール１、２、３、４、及び５により提供されるスライド／スライドガイドに沿って、モジュール３及び４をどのように、モジュール５に対して相対的に内方に進行させるかを示す。この動作は、図３に図示するモジュール３又は４内に存在するスロット内に保持された内容物を圧縮することによる、第二の作動機構を提供するものであり、通常は図示したように、モジュール５（点線）をモジュール３及び４で包囲する動作により明白となる。この例において、モジュール３及び４の内方への移動は、両モジュール３及び４により提供される窓（半円状の切り欠き）がなければ、モジュール５の混合チャンバーによって完全に妨げられることになる。斯かる窓の使用が好ましいのは、分析反応に関する情報を取得するために、各混合チャンバー内の視界が遮られないことが望まれる場合である。
【００５０】
図８は、モジュール及び対応する試薬集合可能な配置を示す。あくまでも例示のためであるが、モジュールは、作動式に配置された６つのカニューレ８１を含むように図示され、その下には６区画の圧縮型８２と、選択的な内容量を有する複数の個別化されたセルとが記載される。前記セルは乾燥セル８５（分注可能内容物を含まない黒四角）と、湿潤セル８６（分注可能内容物を表す幾何学形状を含む白四角）とからなる。次に、前記セルは６つの仮想的な分析プロトコール８５．１、８５．２、８５．３、８５．４、８５．５、８５．６と垂直に対応する様に配置される。次いで、各セル列は圧縮型内に挿入される。各プロトコールの第一の段階に対応するセルは、カニューラに最も近い位置に配置される。これにより、各セル列は経時的に同期した段階８６．１、８６．２、８６．３、８６．４に配置される。続いて、カニューラ８１、圧縮型８２、及び試薬の列状配置８５を含む試薬集合を、前記集合を受容するための操作可能なスロットを有するモジュール８７（単純化のために箱状の線で示す）に挿入し、組み立てられた試薬モジュール８８を形成する。この場合も、この方法論を用いて複数の分析手順をプログラムすることができる。本明細書に示す例は可能な配置の一つを示すに過ぎない。
【００５１】
図９は、一連の混合チャンバー９５を通過する複数のフローパスの流体連結を有する、可能な反応器モジュール９０を示す。例示のためであるが、入口９１から開始した第一のフローパスは、各混合チャンバーを通過して、出口９２で終了する。独立の各入口９３から開始した第二のフローパスは、混合チャンバーを通過し、出口９４で終了する。単純化のために、この図では、図示した流体制御ネットワークと共に使用される流体制御デバイスは示していないが、斯かるデバイス（例えばチョークポイント、弁、ゲート、隔壁、能動及び／又は受動の弁）が、本発明の対象となる種々の種類のモジュール内に存在していてもよい。
【００５２】
図１０は、項１００、１０１、１０２、１０３、１０４という一連の図を用いて、単一の形態の駆動方式を用いた可能な試薬集合によって、どのように独立の試薬を経時的に制御された方式で個別の分析手順に分注するかを示す。項１００は、図８により前述した６つの分析反応の４つの経時的に同期された段階８６．１、８６．２、８６．３、８６．４と共に、図９により前述した出口９４と流体制御ネットワークとを示す。項１０５は、出口９４を通じた使用済み溶液の廃棄を表す。例示のためであるが、反応器モジュールに対して試薬モジュールを圧縮すると共に、出口９４の圧力を低減し、混合チャンバーの内圧を低下させることにより、混合チャンバーを通じて圧力勾配が形成される。項１０１に示すように、反応器モジュールに対して試薬モジュールを圧縮することによって、直列化試薬クラスターが圧縮され、これにより各セルの内圧が上昇し、カニューラが駆動されて各試薬列の第一のセル８６．１へと挿入される。これが、出口９４の圧力低下と相俟って、セル内に維持される分注可能内容物のフローを、圧力勾配に沿ってカニューラ内を通過させ、混合チャンバーへと挿入することができる。混合チャンバーの左側から右側に向かって、「ｘＮ」は個々のチャンバーと、それに続く仮想的な分析試薬を示す。図１０１、１０２、１０３、及び１０４は、試薬モジュールが反応器モジュール内へと圧縮されるに従って、各試薬配列が順次に放出される様子を示す。
項１０１／８６．１：ｘ１＝インキュベーション、ｘ２＝四角、ｘ３＝丸、ｘ４＝インキュベーション、ｘ５＝三角、ｘ６＝丸。
項１０２／８６．２：ｘ１＝星、ｘ２＝インキュベーション、ｘ３＝インキュベーション、ｘ４＝インキュベーション、ｘ５＝星、ｘ６＝三角。
項１０３／８６．３：ｘ１＝丸、ｘ２＝インキュベーション、ｘ３＝四角、ｘ４＝丸、ｘ５＝丸、ｘ６＝インキュベーション。
項１０４／８６．４：ｘ１＝四角、ｘ２＝星、ｘ３＝インキュベーション、ｘ４＝四角、ｘ５＝四角、ｘ６＝インキュベーション。
【００５３】
ここで留意すべきは、使用済み試薬１０５を混合チャンバー外に移動させ、ポート９４を通じて廃液モジュール（図示せず）内へと移動させるのに必要な陽圧が、連続した各試薬の投与によって生じるという点であるが、廃液材料を収集するための代替案は複数存在するのは明らかである。例えば、混合チャンバー及び他の流体制御経路とは分離した反応器モジュールの内部構造を、使用済み溶液を保持するように構成してもよい。同様に、複数の廃液モジュールを反応器モジュールの外周周辺に配置し、複数の異なる流体制御ネットワーク毎に別の構成の廃液出口を利用可能としてもよい。前述したように、この例はあくまでも例示に過ぎない。任意の複数の反応、試薬配置、及び流体制御アーキテクチャを利用することにより、環境の要請に応じて異なる分析手順を実施することができる。同様に、本図はカニューラをセルに押圧する態様を示しているが、図１１に示すようにセルをカニューラに押圧しても、同様の結果を達成することができる。
【００５４】
図１１は、１１０、１１１、１１２、１１３という４つの分図により、ねじ又はプランジャーを用いてセルの配置をカニューラに対してどのように押下するかを示す図である。これは、図１０に記載の動作とは逆の動作である。項１１０は、図８において前述したカニューラ８１、圧縮型８２、湿潤セル８３、乾燥セル８４、試薬モジュール８７、及びセル列に加えて、プランジャー１１０．１、ねじ１１０．２又は他の同様の種類の線形アクチュエータ、例えばヒトの指（図示せず）を示す。項１１１は、プランジャー１１０．１又はねじ１１０．２に対して操作力又はひねりの動作を加えた場合に、いかにセル列が圧縮型を介してカニューラに押しつけられるかを示す図である。項１１２及び１１３は、いかに複数の試薬が単一の動作で制御されるかを示す図である。斯かる配置の使用は、１又は２以上の試験プロトコールを実施する際により高い自由度を確保できる上で有利である。同様に、前述したプログラム可能試薬送達システムにおける直列化された試薬の使用は、より簡素化された流体制御型分析システムでも実施可能である。
【００５５】
図１２Ａは、簡素化された流体制御システムを有する可能な２モジュール分析カートリッジ  １２０を示す。本カートリッジは、プランジャー押圧部１２１、プランジャーシャフト１２２、通気式可撓性隔壁を有する双方向プランジャー１２３、試薬モジュール１２４、試料量を測定するための勾配を有する二重機能式試料／反応器モジュール１２５、雄ねじコネクター１２６、及びねじ蓋１２７を有する。試薬モジュールは通気式であり、前述したように、カニューラを有する圧縮型内に試薬セル列を位置づけながら、分析カートリッジに挿入されるように設計される。この配置を用いることで、複数の供給源に由来する液体試料に対して、単一の試験を実施することが可能となる。
【００５６】
図１３Ａは、図１２に記載のデバイス１２０が、どのような動作により試料を収集するかを示す。項１３０は、双方向プランジャーが作動式の押下位置１３０．２にあるデバイスがどのように液体試料１３０．１と連結されるかを示す。項１３１は、プランジャー１２１を上に引き上げる動作１３１．１により、どのように双方向プランジャー１３１．２の通気式隔壁が引き上げられ、結果として生じた真空状態１３１．３によって試料の二重機能式試料／反応器モジュール１３１．４内への運動が誘導されるかを示す。項１３２は、十分な試料が収集された後、ねじ蓋１２４をデバイスに固定する動作１２３．１を示す。更に、この図では、プランジャーの引き上げによって試薬モジュールの開口１３２．２が現れる様子を強調している。
【００５７】
図１３Ｂは、デバイス１２０をどのように操作することにより、試料に試験を実施するかを示す。項１３３は、双方向プランジャーの押圧１３３．１によって通気式可撓性隔壁１３３．２がプランジャー１３３．３から分離され、隔壁がデバイスの内壁に対して押しつけられた状態で静止位置に維持される様子を示す。プランジャー１３３．３が試薬区画の開口１３３．６内に配置される試薬セル列と連結されるに伴って、可撓性隔壁１３３．２上に示す通気穴によって、図において形成された上側区画１３３．４と下側区画１３３．５との間の大気が均一化される。項１３４は、プランジャーの更なる押下１３４．１の結果、プランジャーが試薬モジュール内に進行し、順に各試薬セル１３４．３がカニューラに押圧されて、その内容物を混合区画１３４．４内に放出する様子を示す。この場合も、本図は広範な種類のモジュラー配置を限定することを意図するものではなく、複数の異なる試験プロトコールにおいて独自の利点を有する複数の試薬セル配置を考えることができる。内容物のデバイスからの漏出を防止することが好ましい用途では、内容物をデバイス内に封止する上で、非通気式隔壁が有用であることが理解できる。
【００５８】
図１４は、連続流モジュラー診断カートリッジを作製する手順を示す。項１４０は、試料容器Ｓと、４つの独立の分析試薬コンテナーｒ１、ｒ２、ｒ３、ｒ４とを有し、フローパス点線の矢印で示される所定の時系列での投与を含む、分析タスクを実施することが可能な閉鎖型流体制御ネットワークの例を示す。各試薬は混合チャンバーＭ及び廃液容器Ｗに到達するように移動しなければならない。項１４１は、流体制御ネットワークを独立のモジュールとして製造されうる機能集団Ａ、Ｂ、Ｃ、Ｄに分割する手順に関する本発明の一側面を示す。項１４２は、同じ流体制御ネットワークを再構成し、機能的に低減された機能集団Ａ’、Ｂ’、Ｃ’、Ｄ’へと分割する手順に関する本発明の別の側面を示す。
【００５９】
これらの図はあくまでも代表的なものに過ぎず、本発明を利用可能なほんの僅かな態様の例を示すものである。これらは如何なる意味でも、本発明に利用可能な全用途の範囲を限定することを意図するものではない。
【図１Ａ】
2019152672.tif 000003
【図１Ｂ】
2019152672.tif 000004
【図２】
2019152672.tif 000005
【図３】
2019152672.tif 000006
【図４】
2019152672.tif 000007
【図５】
2019152672.tif 000008
【図６】
2019152672.tif 000009
【図７Ａ】
2019152672.tif 000010
【図７Ｂ】
2019152672.tif 000011
【図７Ｃ】
2019152672.tif 000012
【図７Ｄ】
2019152672.tif 000013
【図８】
2019152672.tif 000014
【図９】
2019152672.tif 000015
【図１０】
2019152672.tif 000016
【図１１】
2019152672.tif 000017
【図１２】
2019152672.tif 000018
【図１３Ａ】
2019152672.tif 000019
【図１３Ｂ】
2019152672.tif 000020
【図１４】
2019152672.tif 000021
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
複数の微小流体モジュールを含むシステムであって、
前記の複数の微小流体モジュールは、基本型のモジュールであって、同じ基本型の対応するモジュールを補完してこれと共働する複数の要素を有することを特徴とし、
前記システムは更に基材と、内部流体機能部と、流通パスとを含み、
前記基材は、第１の表面及び第２の表面を供する複数の垂直の外表面を含み、前記第１の表面は更に、流体コネクターと、第１の連結要素と、第２の連結要素とを含み、
前記流体コネクターは、前記第１の表面を通じて、複数の対応する微小流体モジュールの間を連結すると共に、これらの流体連通を確立し、
前記第１の連結要素は、複数の協動する微小流体モジュールの間を連結すると共に、これらの流体接続を確立する接合（coincident）インターフェースを形成し、
前記第２の連結要素は、複数の協動するモジュールの間を連結し、これらの並進動作を可能とする共線軸を確立すると共に、複数の協動する微小流体モジュールの間に流体連通を生じさせ、
前記流通パスは、前記基材を通じて、前記内部流体機能部、前記第１の表面の前記流体コネクター、及び、前記第２の表面を連結し、
前記の複数の微小流体モジュールは更に、連結された同じ基本型の複数の微小流体モジュールを含む基本カートリッジ型を特徴とし、ここで前記同じ基本型は更に、少なくとも
第１の微小流体モジュール及び第２の微小流体モジュールに対応し、その流体連通を可能とする、複数の相補的な第１の表面の接合インターフェースと、
第１の微小流体モジュールを内部に並進させつつ、複数の相補的な第１の表面の少なくとも１つの接合インターフェースを包有すると共に、第２の微小流体モジュールの基材を部分的に包有し、流体連通を生じさせる能力と
を特徴とする、システム。
【請求項２】
前記第２のモジュールが更に、前記と同じ基本型のモジュールであると共に、以下を特徴とするモジュールを含む：
前記基材が、前記第１のモジュールに収容可能な高さ、幅、及び深さを有し；
前記流体コネクターが、前記基材から突出する鋭い先端を有する、外方に延在する流通パスを特徴とする；
請求項１に記載の複数の微小流体モジュールを含むシステム。
【請求項３】
前記第１のモジュールが更に、前記と同じ基本型のモジュールであると共に、以下を特徴とするモジュールを含む：
前記基材が、前記第２のモジュールを収容可能な高さ、幅、及び深さを有し；
前記第２の表面が、前記第１の表面に対向する位置を有し；
前記流体コネクターが、前記流通チャンネルに挿入されると液密接続を確立するような形状を有する、鋭い中空のチューブを特徴とし；
前記内部流体機能部が、駆動可能な液体分注装置を含み、前記液体分注装置は更に：
前記第１の表面に対して開口する内腔、及び、前記第２の表面と共通の壁面を共有する背面を有するスロット；
固体発泡体の特性を有する圧縮可能な基材であって、複数の垂直の面を有し、前記複数の垂直の面が前記スロットと接合して、前記第１の表面と接合する分注面と、前記分注面に対向し、前記背面と接合する作動面とを供する基材；
液体の包装に適した可撓性薄壁穿孔可能材料に個別に封入された包装液体試薬保存液を特徴とする湿潤セル；
選択された長さを有する圧縮可能なスペーサー要素を特徴とする乾燥セル；
直列に連結された１又は２以上の湿潤セル及び１又は２以上の乾燥セルを有し、第１の湿潤セル又は乾燥セルは前記分注面の近位に配置され、最後の湿潤セル又は乾燥セルは前記作動面の近位に配置されることを特徴とする直列化試薬クラスター；並びに、
外部の機械力を、前記第２の表面から；前記作動面を通じ；前記圧縮可能な基材へと；前記最後の湿潤セル又は乾燥セル、前記直列化試薬クラスター、及び前記第１の湿潤セル又は乾燥セルを通じ；前記圧縮可能な基材の外部へと；当該モジュールの前記分注面及び前記第１の表面を介して；及び、前記第１の表面を通じて、既に確立された第２のモジュールへと；伝達する、複数の接合表面の機械的結合部；
前記直列化試薬クラスターは更に、１又は２以上の湿潤セルの、１又は２以上の非同期時間間隔に亘る線形距離の所望の移動に対応する、選択された長さを有する、１又は２以上の乾燥セルを特徴とする、請求項１に記載の複数の微小流体モジュールを含むシステム。
【請求項４】
前記内部流体機能部が更に、
前記流通チャンネルにより前記第１の表面及び前記第２の表面へと連結される内部容器と、
１又は２以上の更なる表面と
を含む、請求項１に記載の複数の微小流体モジュールを含むシステム。
【請求項５】
前記内部流体機能部が更に、
前記流通チャンネルにより前記第１の表面へと連結される内部容器と、
前記第１の表面に対向する第２の表面と
を含む、請求項１に記載の複数の微小流体モジュールを含むシステム。
【請求項６】
前記内部流体機能部が更に、
前記流通チャンネルにより前記第１の表面へと連結される内部容器と、
前記第１の表面に隣接する垂直の平面上の第２の表面と
を含む、請求項１に記載の複数の微小流体モジュールを含むシステム。
【請求項７】
前記内部流体機能部が更に、
前記流通チャンネルにより前記第１の表面へと連結される内部容器と、
前記第１の表面に隣接する垂直の平面上の第２の表面と、
前記第１の表面に対向し、前記第２の表面に隣接する第３の表面と
を含む請求項１に記載の複数の微小流体モジュールを含むシステム。
【請求項８】
前記内部流体機能部が更に、
前記流通チャンネルにより前記第１の表面へと連結される内部容器と、
前記第１の表面に隣接する第２の表面と、
前記第２の表面に対向する第３の表面と、
前記第１の表面に対向し、前記第２の及び第３の表面に隣接する第４の表面と
を含む、請求項１に記載の複数の微小流体モジュールを含むシステム。
【請求項９】
前記内部流体機能部が更に、
前記流通チャンネルにより前記第１の表面へと連結される内部容器と、
前記第１の表面に隣接する第２の表面と、
前記第１の表面及び前記第２の表面に隣接する第３の表面と、
前記第１の、第２の、及び第３の表面に隣接する第４の表面と
を含む、請求項１に記載の複数の微小流体モジュールを含むシステム。
【請求項１０】
前記内部流体機能部が更に、
前記流通チャンネルにより前記第１の表面へと連結される内部容器と、
前記第１の表面に隣接する第２の表面と、
前記第１の表面及び前記第２の表面に隣接する第３の表面と、
前記第１の、第２の、及び第３の表面に隣接する第４の表面と、
前記第４の表面に対向する第５の表面と
を含む、請求項１に記載の複数の微小流体モジュールを含むシステム。
【請求項１１】
前記内部流体機能部が更に、
前記流通チャンネルにより前記第１の表面へと連結される内部容器と、
前記第１の表面に隣接する第２の表面と、
前記第１の表面及び前記第２の表面に隣接する第３の表面と、
前記第１の、第２の、及び第３の表面に隣接する第４の表面と、
前記第４の表面に対向する第５の表面と、
前記第１の、第２の、第４の、及び第５の表面に隣接する第６の表面と
を含む、請求項１に記載の複数の微小流体モジュールを含むシステム。
【請求項１２】
基本モジュール型の複数の要素と、流通パスとを含む微小流体カートリッジ構築キットであって、
前記基本モジュール型の複数の要素は、同じ基本モジュール型の対応する複数のモジュールと共働的に相互関係すると共に、第１の表面及び第２の表面を供する複数の垂直の外表面を含む基材を含み、
前記第１の表面は更に、流体コネクターと、第１の連結要素と、第２の連結要素と、内部流体機能部と、流通パスとを含み、
前記流体コネクターは、前記第１の表面を通じて、同じ基本モジュール型の対応するモジュールの相補的要素と系合するように位置し、複数の対応する微小流体モジュールの間を連結すると共に、これらの流体連通を確立し、
前記第１の連結要素は、同じ基本モジュール型の対応するモジュールの相補的要素と系合するように位置し、系合により接合インターフェースを形成し、複数の対応する微小流体モジュールの間を連結すると共に、これらの流体連通を確立し、
前記第２の連結要素は、同じ基本モジュール型の対応するモジュールの相補的要素と系合するように位置する共働スライド又はスライドガイドを特徴とし、前記共働スライド又はスライドガイドは、複数の協動するモジュールの間を連結すると共に、これらの流体連通を確立するための並進動作を可能とし、
前記流通パスは、前記基材を通じて、前記内部流体機能部、前記第１の表面の前記流体コネクター、及び、前記第２の表面を連結する、
微小流体カートリッジ構築キット。
【請求項１３】
前記第１の連結要素が、箱型連結部のオペレータ又はレシーバである、請求項１２に記載の微小流体カートリッジ構築キット。
【請求項１４】
前記第１の連結要素が、クリップ・溝型連結部のクリップ又は溝である、請求項１２に記載の微小流体カートリッジ構築キット。
【請求項１５】
前記第２の連結要素が、プリズム型連結部のスライド又はスライドガイドである、請求項１２に記載の微小流体カートリッジ構築キット。
【請求項１６】
前記基材が、前記第２のモジュールを収容可能な高さ、幅、及び深さを有し；
前記第２の表面が、前記第１の表面に対向するように位置し；
前記流体コネクターが、前記流通チャンネルに挿入されると液密接続を確立するような形状を有する、鋭い中空のチューブを特徴とする穿孔要素を構成し；
前記内部流体機能部が、駆動可能な液体分注装置を含み、前記液体分注装置は更に：
前記第１の表面に対して開口する内腔、及び、前記第２の表面と共通の壁面を共有する背面を有するスロット；
固体発泡体の特性を有する圧縮可能な基材であって、複数の垂直の面を有し、前記複数の垂直の面が前記スロットと接合して、前記第１の表面と接合する分注面と、前記分注面に対向し、前記背面と接合する作動面とを供する基材；
液体の包装に適した可撓性薄壁穿孔可能材料に個別に封入された包装液体試薬保存液を特徴とする湿潤セル；
選択された長さを有する圧縮可能なスペーサー要素を特徴とする乾燥セル；
直列に連結された１又は２以上の湿潤セル及び１又は２以上の乾燥セルを有し、第１の湿潤セル又は乾燥セルは前記分注面の近位に配置され、最後の湿潤セル又は乾燥セルは前記作動面の近位に配置されることを特徴とする直列化試薬クラスター；並びに、
外部の機械力を、前記第２の表面から；前記作動面を通じ；前記圧縮可能な基材へと；前記最後の湿潤セル又は乾燥セル、前記直列化試薬クラスター、及び前記第１の湿潤セル又は乾燥セルを通じ；前記圧縮可能な基材の外部へと；当該モジュールの前記分注面及び前記第１の表面を介して；及び、前記第１の表面を通じて、対応するモジュールへと；伝達する、複数の接合表面の機械的結合部；
対応するモジュール
を含む、請求項１２に記載の微小流体カートリッジ構築キット。
【請求項１７】
前記内部流体機能部が更に、
前記流通チャンネルにより前記第１の表面及び前記第２の表面へと連結される内部容器と、
１又は２以上の更なる表面と
を含む、請求項１２に記載の微小流体カートリッジ構築キット。
【請求項１８】
前記内部流体機能部が更に、
前記流通チャンネルにより前記第１の表面へと連結される内部容器と、
前記第１の表面に隣接する第２の表面と
を含む、請求項１２に記載の微小流体カートリッジ構築キット。
【請求項１９】
前記内部流体機能部が更に、
前記流通チャンネルにより前記第１の表面へと連結される内部容器と、
前記第１の表面に隣接する垂直の平面上の第２の表面と
を含む、請求項１２に記載の微小流体カートリッジ構築キット。
【請求項２０】
前記内部流体機能部が更に、
前記流通チャンネルにより前記第１の表面へと連結される内部容器と、
前記第１の表面に隣接する垂直の平面上の第２の表面と、
前記第１の表面に対向し、前記第２の表面に隣接する平面上の第３の表面と
を含む、請求項１２に記載の微小流体カートリッジ構築キット。
【請求項２１】
前記内部流体機能部が更に、
前記流通チャンネルにより前記第１の表面へと連結される内部容器と、
前記第１の表面に隣接する第２の表面と、
前記第２の表面に対向する第３の表面と、
前記第１の表面に対向し、前記第２の及び第３の表面に隣接する第４の表面と
を含む、請求項１２に記載の微小流体カートリッジ構築キット。
【請求項２２】
前記内部流体機能部が更に、
前記流通チャンネルにより前記第１の表面へと連結される内部容器と、
前記第１の表面に隣接する第２の表面と、
前記第１の表面及び前記第２の表面に隣接する第３の表面と、
前記第１の、第２の、及び第３の表面に隣接する第４の表面と
を含む、請求項１２に記載の微小流体カートリッジ構築キット。
【請求項２３】
前記内部流体機能部が更に、
前記流通チャンネルにより前記第１の表面へと連結される内部容器と、
前記第１の表面に隣接する第２の表面と、
前記第１の表面及び前記第２の表面に隣接する第３の表面と、
前記第１の、第２の、及び第３の表面に隣接する第４の表面と、
前記第４の表面に対向する第５の表面と
を含む、請求項１２に記載の微小流体カートリッジ構築キット。
【請求項２４】
前記内部流体機能部が更に、
前記流通チャンネルにより前記第１の表面へと連結される内部容器と、
前記第１の表面に隣接する第２の表面と、
前記第１の表面及び前記第２の表面に隣接する第３の表面と、
前記第１の、第２の、及び第３の表面に隣接する第４の表面と、
前記第４の表面に対向する第５の表面と、
前記第１の、第２の、第４の、及び第５の表面に隣接する第６の表面と
を含む、請求項１２に記載の微小流体カートリッジ構築キット。
【請求項２５】
基材及び内部流体機能部を含む駆動可能な液体分注装置であって、
前記基材が、第１の表面及び前記第１の表面に隣接する第２の表面を供する複数の垂直の外表面を含み、
前記内部流体機能部が：
前記第１の表面に対して開口する内腔、及び、前記第２の表面と共通の壁面を共有する背面を有するスロット；
固体発泡体の特性を有する圧縮可能な基材であって、複数の垂直の面を有し、前記複数の垂直の面が前記スロットと接合して、前記第１の表面と接合する分注面と、前記分注面に対向し、前記背面と接合する作動面とを供する基材；
液体の包装に適した可撓性薄壁穿孔可能材料に個別に封入された包装液体試薬保存液を特徴とする湿潤セル；
選択された長さを有する圧縮可能なスペーサー要素を特徴とする乾燥セル；
直列に連結された１又は２以上の湿潤セル及び１又は２以上の乾燥セルを有し、第１の湿潤セル又は乾燥セルは前記分注面の近位に配置され、最後の湿潤セル又は乾燥セルは前記作動面の近位に配置されることを特徴とする直列化試薬クラスター；並びに、
前記作動面、前記第１の湿潤セル又は乾燥セル、前記直列化試薬クラスター、前記最後の湿潤セル又は乾燥セル、及び前記分注面を連結する、複数の接合表面の機械的結合部；
を含む、液体分注装置。
【請求項２６】
前記液体分注装置が更に、前記流通チャンネルに挿入されると液密接続を確立するような形状を有する、鋭い中空のチューブを特徴とする流体コネクターを含む、請求項２５に記載の駆動可能な液体分注装置。
【請求項２７】
前記液体分注装置が更に、１又は２以上の湿潤セルの、１又は２以上の非同期時間間隔に亘る線形距離の所望の移動に対応する、選択された長さを有する、１又は２以上の乾燥セルを特徴とする、１又は２以上の直列化試薬クラスターを含む、請求項２５に記載の駆動可能な液体分注装置。
【外国語明細書】
2019152672000001.pdf